(57)【特許請求の範囲】
【請求項１】
吸収液を加熱して吸収液に含まれる冷媒を蒸発分離し、冷媒が吸収できるように吸収液を再生する再生器として高温再生器、中温再生器、低温再生器を備えると共に、異なる温度の吸収液同士が熱交換する熱交換器として高温熱交換器、中温熱交換器、低温熱交換器を備えた吸収冷凍機において、
中温再生器に接続した吸収液管の吸収液出入口部に逆止弁または開閉弁を設け、
吸収液が中温再生器と中温熱交換器とを迂回して循環可能に開閉弁を備えた吸収液管を設け、
高温再生器で吸収液から蒸発分離した冷媒蒸気を低温再生器の熱源として供給可能に高温再生器の冷媒蒸気出口と低温再生器の冷媒蒸気入口とを開閉弁が介在する冷媒管により接続し、
吸収器と凝縮器とに冷却水を供給し、凝縮器で冷却水に放熱して凝縮した冷媒液を蒸発器で蒸発させ、その蒸発熱で冷却した冷水を供給する冷却運時には３重効用運転とし、蒸発器に河川水などの熱源流体を供給し、吸収器と凝縮器とを経由して加熱された温水を供給する加熱運転時には、２重効用運転とする切換弁機構が設けられた
ことを特徴とする吸収冷凍機。
【請求項２】
冷却運転時に吸収器で冷媒を吸収した吸収液が高温再生器、中温再生器、低温再生器の順に流れ、冷媒をその都度蒸発分離して吸収器に還流可能に、且つ、加熱運転時に吸収器で冷媒を吸収した吸収液が高温再生器、低温再生器の順に流れ、冷媒をその都度蒸発分離して吸収器に還流可能に吸収液管が設けられたことを特徴とする請求項１記載の吸収冷凍機。
【請求項３】
冷却運転時に吸収器で冷媒を吸収した吸収液が中温再生器、高温再生器、低温再生器の順に流れ、冷媒をその都度蒸発分離して吸収器に還流可能に、且つ、加熱運転時に吸収器で冷媒を吸収した吸収液が高温再生器、低温再生器の順に流れ、冷媒をその都度蒸発分離して吸収器に還流可能に吸収液管が設けられたことを特徴とする請求項１記載の吸収冷凍機。
【請求項４】
冷却運転時に吸収器で冷媒を吸収した吸収液が低温再生器、高温再生器、中温再生器の順に流れ、冷媒をその都度蒸発分離して吸収器に還流可能に、且つ、加熱運転時に吸収器で冷媒を吸収した吸収液が低温再生器、高温再生器の順に流れ、冷媒をその都度蒸発分離して吸収器に還流可能に吸収液管が設けられたことを特徴とする請求項１記載の吸収冷凍機。
【請求項５】
冷却運転時に吸収器で冷媒を吸収した吸収液が低温再生器、中温再生器、高温再生器の順に流れ、冷媒をその都度蒸発分離して吸収器に還流可能に、且つ、加熱運転時に吸収器で冷媒を吸収した吸収液が低温再生器、高温再生器の順に流れ、冷媒をその都度蒸発分離して吸収器に還流可能に吸収液管が設けられたことを特徴とする請求項１記載の吸収冷凍機。
【請求項６】
吸収液を加熱して吸収液に含まれる冷媒を蒸発分離し、冷媒が吸収できるように吸収液を再生する再生器として高温再生器、中温再生器、低温再生器を備えると共に、異なる温度の吸収液同士が熱交換する熱交換器として高温熱交換器、中温熱交換器、低温熱交換器を備えた吸収冷凍機において、
中温再生器に接続した吸収液管の吸収液出入口部に逆止弁または開閉弁を設け、
高温再生器で吸収液から蒸発分離した冷媒蒸気を低温再生器の熱源として供給可能に高温再生器の冷媒蒸気出口と低温再生器の冷媒蒸気入口とを開閉弁が介在する冷媒管により接続すると共に、
吸収器と凝縮器とに冷却水を供給し、凝縮器で冷却水に放熱して凝縮した冷媒液を蒸発器で蒸発させ、その蒸発熱で冷却した冷水を供給する冷却運時に吸収器で冷媒を吸収した吸収液が分岐して高温再生器、中温再生器、低温再生器それぞれに流れ、各再生器で冷媒を蒸発分離して吸収器に還流する３重効用運転とし、且つ、
蒸発器に河川水などの熱源流体を供給し、吸収器と凝縮器とを経由して加熱された温水を供給する加熱運転時に吸収器で冷媒を吸収した吸収液が分岐して高温再生器と低温再生器とに流れ、各再生器で冷媒を蒸発分離して吸収器に還流する２重効用運転可能に吸収液管を設けた
ことを特徴とする吸収冷凍機。
【発明の詳細な説明】
【０００１】
【発明の属する技術分野】
本発明は、吸収冷凍機（吸収冷温水機を含む）に係わるものである。
【０００２】
【従来の技術】
従来の吸収冷凍機の多くは、夏季は２重効用の冷房運転が可能であるが、冬季は高温再生器で加熱した吸収液と、その加熱吸収液から蒸発分離した冷媒蒸気とを下胴に供給し、負荷に供給する循環水を蒸発器において加熱する単なるボイラー機能を持たせたものに過ぎなかったため、供給可能な温水の温度は６０℃程度となり、暖房運転に使用することはできるもののエネルギー効率（ＣＯＰ）が０．８５程度であり、ＣＯＰが低いと云った問題点があった。
【０００３】
一方、吸収ヒートポンプによる暖房運転おいては、大気圧以下と云う運転領域の制約があるため、ＣＯＰは１．６〜１．７と高くなるものの、供給可能な温水温度は４５℃程度と低いと云った問題点があった。
【０００４】
【発明が解決しようとする課題】
そのため、吸収ヒートポンプによる快適な暖房運転が可能なように、特に室温が低い暖房運転の開始時においても十分に温度の高い空気の噴出しが可能なように、従来の４５℃より高い温度の温水、例えば５５℃程度の温水供給が可能な吸収冷凍機を提供する必要があった。また、冷房運転時においても熱効率に一層優れたものにする必要があり、これらの解決が課題となっていた。
【０００５】
【課題を解決するための手段】
本発明は上記従来技術の課題を解決するための具体的手段として、吸収液を加熱して吸収液に含まれる冷媒を蒸発分離し、冷媒が吸収できるように吸収液を再生する再生器として高温再生器、中温再生器、低温再生器を備えると共に、異なる温度の吸収液同士が熱交換する熱交換器として高温熱交換器、中温熱交換器、低温熱交換器を備えた吸収冷凍機において、中温再生器に接続した吸収液管の吸収液出入口部に逆止弁または開閉弁を設け、吸収液が中温再生器と中温熱交換器とを迂回して循環可能に開閉弁を備えた吸収液管を設け、高温再生器で吸収液から蒸発分離した冷媒蒸気を低温再生器の熱源として供給可能に高温再生器の冷媒蒸気出口と低温再生器の冷媒蒸気入口とを開閉弁が介在する冷媒管により接続し、吸収器と凝縮器とに冷却水を供給し、凝縮器で冷却水に放熱して凝縮した冷媒液を蒸発器で蒸発させ、その蒸発熱で冷却した冷水を供給する冷却運時には３重効用運転とし、蒸発器に河川水などの熱源流体を供給し、吸収器と凝縮器とを経由して加熱された温水を供給する加熱運転時には２重効用運転する切換弁機構を設けるようにした第１の構成の吸収冷凍機と、
【０００６】
前記第１の構成の吸収冷凍機において、冷却運転時に吸収器で冷媒を吸収した吸収液が高温再生器、中温再生器、低温再生器の順に流れ、冷媒をその都度蒸発分離して吸収器に還流可能に、且つ、加熱運転時に吸収器で冷媒を吸収した吸収液が高温再生器、低温再生器の順に流れ、冷媒をその都度蒸発分離して吸収器に還流可能に吸収液管を設けるようにした第２の構成の吸収冷凍機と、
【０００７】
前記第１の構成の吸収冷凍機において、冷却運転時に吸収器で冷媒を吸収した吸収液が中温再生器、高温再生器、低温再生器の順に流れ、冷媒をその都度蒸発分離して吸収器に還流可能に、且つ、加熱運転時に吸収器で冷媒を吸収した吸収液が高温再生器、低温再生器の順に流れ、冷媒をその都度蒸発分離して吸収器に還流可能に吸収液管を設けるようにした第３の構成の吸収冷凍機と、
【０００８】
前記第１の構成の吸収冷凍機において、冷却運転時に吸収器で冷媒を吸収した吸収液が低温再生器、高温再生器、中温再生器の順に流れ、冷媒をその都度蒸発分離して吸収器に還流可能に、且つ、加熱運転時に吸収器で冷媒を吸収した吸収液が低温再生器、高温再生器の順に流れ、冷媒をその都度蒸発分離して吸収器に還流可能に吸収液管を設けるようにした第４の構成の吸収冷凍機と、
【０００９】
前記第１の構成の吸収冷凍機において、冷却運転時に吸収器で冷媒を吸収した吸収液が低温再生器、中温再生器、高温再生器の順に流れ、冷媒をその都度蒸発分離して吸収器に還流可能に、且つ、加熱運転時に吸収器で冷媒を吸収した吸収液が低温再生器、高温再生器の順に流れ、冷媒をその都度蒸発分離して吸収器に還流可能に吸収液管を設けるようにした第５の構成の吸収冷凍機と、
【００１０】
吸収液を加熱して吸収液に含まれる冷媒を蒸発分離し、冷媒が吸収できるように吸収液を再生する再生器として高温再生器、中温再生器、低温再生器を備えると共に、異なる温度の吸収液同士が熱交換する熱交換器として高温熱交換器、中温熱交換器、低温熱交換器を備えた吸収冷凍機において、中温再生器に接続した吸収液管の吸収液出入口部に逆止弁または開閉弁を設け、高温再生器で吸収液から蒸発分離した冷媒蒸気を低温再生器の熱源として供給可能に高温再生器の冷媒蒸気出口と低温再生器の冷媒蒸気入口とを開閉弁が介在する冷媒管により接続すると共に、吸収器と凝縮器とに冷却水を供給し、凝縮器で冷却水に放熱して凝縮した冷媒液を蒸発器で蒸発させ、その蒸発熱で冷却した冷水を供給する冷却運時に吸収器で冷媒を吸収した吸収液が分岐して高温再生器、中温再生器、低温再生器それぞれに流れ、各再生器で冷媒を蒸発分離して吸収器に還流する３重効用運転とし、且つ、蒸発器に河川水などの熱源流体を供給し、吸収器と凝縮器とを経由して加熱された温水を供給する加熱運転時に吸収器で冷媒を吸収した吸収液が分岐して高温再生器と低温再生器とに流れ、各再生器で冷媒を蒸発分離して吸収器に還流する２重効用運転可能に吸収液管を設けるようにした第６の構成の吸収冷凍機と、を提供することにより、前記した従来技術の課題を解決するものである。
【００１１】
以下、本発明の実施形態を図面に基づいて詳細に説明する。
【００１２】
〔第１の実施形態〕
第１の実施形態を図１に基づいて詳細に説明する。
図１において、１は高温再生器、２は中温再生器、３は低温再生器、４は凝縮器、５は蒸発器、６は吸収器、７は低温熱交換器、８は中温熱交換器、９は高温熱交換器、１０・１１は吸収液ポンプ、１３は冷媒ポンプであり、それぞれは図示したように実線で示した吸収液管と破線で示した冷媒管とで接続され、吸収液と冷媒がそれぞれ循環可能に構成されている。
【００１３】
なお、中温再生器２に接続した吸収液管の吸収液入口側には開閉弁Ｖ１が設けられ、吸収液出口側には逆止弁Ｖ２が設けられ、吸収液が中温再生器２と中温熱交換器８とを迂回して循環可能に開閉弁Ｖ３が介在する吸収液管が設けられている。
【００１４】
また、熱源としての冷媒蒸気を供給する中温再生器２に接続した冷媒管の冷媒入口側には開閉弁Ｖ４が設けられ、冷媒出口側には逆止弁Ｖ５が設けられ、中温再生器２で吸収液から蒸発分離した冷媒蒸気の出口側に逆止弁Ｖ６が設けられ、高温再生器１の冷媒蒸気出口側と低温再生器３の冷媒蒸気入口側とが開閉弁Ｖ７が介在する冷媒蒸気管とで接続されている。
【００１５】
また、蒸発器５には冷水／熱源水管１４が通され、吸収器６と凝縮器４には冷却水／温水管１５が直列に通されている。
【００１６】
上記構成になる吸収冷凍機においては、図１（Ａ）に示したように開閉弁Ｖ１、Ｖ４を開弁し、開閉弁Ｖ３、Ｖ７を閉弁し、吸収液ポンプ１０、１１および冷媒ポンプ１３を運転し、冷却水／温水管１５に冷却水を流しながら、高温再生器１に添設したバーナ１Ａで天然ガスなどを燃焼させると、高温再生器１においては燃焼熱により吸収液が加熱され、吸収液から蒸発分離した冷媒蒸気と、濃縮された吸収液とが得られる。
【００１７】
高温再生器１で生成された高温の冷媒蒸気は、開弁している開閉弁Ｖ４を介して中温再生器２に入り、中温再生器２内にある吸収液、すなわち高温再生器１における前記加熱により既に吸収液濃度が１度高められ、高温熱交換器９・開閉弁Ｖ１を介して高温再生器１から供給された吸収液を加熱して冷媒を蒸発させる。
【００１８】
中温再生器２で吸収液から蒸発分離した冷媒蒸気は、逆止弁Ｖ６を介して低温再生器３に入り、低温再生器３内にある吸収液、すなわち高温再生器１、中温再生器２における前記加熱により既に吸収液濃度が２度高められ、逆止弁Ｖ２・中温熱交換器８を介して中温再生器２から供給された吸収液を加熱して冷媒を蒸発させる。
【００１９】
低温再生器３で吸収液から蒸発分離した冷媒蒸気は、凝縮器４に入り、冷却水／温水管１５内を流れる冷却水に放熱して凝縮し、中温再生器２、低温再生器３で吸収液に放熱して凝縮し、中温再生器２・低温再生器３から流入する冷媒液と一緒になって蒸発器５に入る。
【００２０】
蒸発器５に入って底部に溜まった冷媒液は、冷媒ポンプ１３により上方から散布され、冷水／熱源水管１４の内部を流れる水と熱交換して蒸発し、冷水／熱源水管１４の内部を流れる水を冷却する。
【００２１】
蒸発器５で蒸発した冷媒は吸収器６に入り、低温再生器３で加熱されて冷媒を蒸発分離し、吸収液の濃度が一層高まった吸収液、すなわち低温熱交換器７を経由して低温再生器３から供給され、上方から散布される吸収液に吸収される。
【００２２】
吸収器６で冷媒を吸収して吸収液濃度の薄くなった吸収液は、吸収液ポンプ１０の運転により低温熱交換器７・中温熱交換器８・高温熱交換器９を経由して高温再生器１に戻される。
【００２３】
上記のように吸収冷凍機が運転されると、冷水／熱源水管１４の内部を流れて蒸発器５に入った冷水は、蒸発器５内において冷媒の気化熱により冷却され、その冷却された冷水が冷水／熱源水管１４を介して図示しない冷却負荷に循環供給できるので、冷房などの冷却運転が熱効率に優れた３重効用により行える。
【００２４】
一方、図１（Ｂ）に示したように開閉弁Ｖ３、Ｖ７を開弁し、開閉弁Ｖ１、Ｖ４を閉弁し、吸収液ポンプ１０、１１および冷媒ポンプ１３を運転し、冷水／熱源水管１４に熱源水として河川水、排温水などを流しながら、高温再生器１に添設したバーナ１Ａで天然ガスなどを燃焼させると、高温再生器１においてはその燃焼熱により吸収液が加熱され、吸収液から蒸発分離した冷媒蒸気と、濃縮された吸収液とが得られる。
【００２５】
高温再生器１で生成された高温の冷媒蒸気は、開弁している開閉弁Ｖ７を介して低温再生器３に入り、低温再生器３内にある吸収液、すなわち高温再生器１における前記加熱により既に吸収液濃度が１度高められ、高温熱交換器９・開閉弁Ｖ３を介して高温再生器１から供給された吸収液を加熱して冷媒を蒸発させる。
【００２６】
低温再生器３で吸収液から蒸発分離した冷媒蒸気は、凝縮器４に入り、冷却水／温水管１５内を流れる水に放熱して凝縮し、低温再生器３で吸収液に放熱して凝縮し、低温再生器３から流入する冷媒液と一緒になって蒸発器５に入る。
【００２７】
蒸発器５に入って底部に溜まった冷媒液は、冷媒ポンプ１３により上方から散布され、冷水／熱源水管１４の内部を流れる熱源水から熱を奪って蒸発する。
【００２８】
蒸発器５で蒸発した冷媒は吸収器６に入り、低温再生器３で加熱されて冷媒を蒸発分離し、吸収液の濃度が一層高まった吸収液、すなわち低温熱交換器７を経由して供給され、上方から散布される吸収液に吸収される。
【００２９】
吸収器６で冷媒を吸収して濃度の薄くなった吸収液は、吸収液ポンプ１０の運転により低温熱交換器７・中温熱交換器８・高温熱交換器９を経由して高温再生器１に戻される。
【００３０】
上記のように吸収冷凍機が運転されると、冷却水／温水管１５の内部を流れる水は、吸収器６においては、低温再生器３から冷媒蒸気により加熱されて低温熱交換器７を介して流入する吸収液が、蒸発器５から蒸発して流入する冷媒を吸収する際に出る吸収熱により加熱され、凝縮器４においては、低温再生器３で蒸発して流入する冷媒の凝縮熱と、低温再生器３で凝縮して流入する吸収液とで加熱され、その２箇所で例えば５５℃程度に加熱された温水が冷却水／温水管１５を介して図示しない暖房負荷に循環供給できるので、暖房などの加熱運転が熱効率に優れた２重効用により行える。
【００３１】
なお、吸収液出口側に設けた逆止弁Ｖ２は、いわゆる開閉弁であっても良い。また、上記吸収液ポンプ１１は、省略することも可能である。
【００３２】
〔第２の実施形態〕
第２の実施形態を図２に基づいて説明する。なお、理解を容易にするため、第２の実施形態の吸収冷凍機においても、前記図１に示した第１の実施形態の吸収冷凍機と同様の機能を有する部分には同一の符号を付した（第３の実施形態以降も同じ）。
【００３３】
この第２の実施形態の吸収冷凍機が、前記第１の実施形態の吸収冷凍機と相違する部分は、吸収液の循環順にある。すなわち、この第２の実施形態の吸収冷凍機においては、冷媒を吸収して吸収器６から出た吸収液は、図２（Ａ）に示したように、冷房などの冷却運転時には吸収液ポンプ１０により低温熱交換器７、中温熱交換器８を経由して中温再生器２に入り、そこで１度目の加熱・濃縮が行われ、続いて吸収液ポンプ１２により高温熱交換器９を経由して高温再生器１に入り、そこで２度目の加熱・濃縮が行われ、さらに高温熱交換器９、中温熱交換器８を経由して低温再生器３に入り、そこで３度目の加熱・濃縮が行われた後、吸収液ポンプ１１により低温熱交換器７を経由して吸収器６に戻る循環が可能に吸収液管が接続されている。
【００３４】
そして、この場合も、吸収液が中温再生器２と中温熱交換器８とを迂回して循環可能に開閉弁Ｖ３が介在する吸収液管が設けられて、暖房などの加熱運転時に冷媒を吸収して吸収器６から出た吸収液は、図２（Ｂ）に示したように、吸収液ポンプ１０により低温熱交換器７、開閉弁Ｖ３、高温熱交換器９を経由して高温再生器１に入り、そこで１度目の加熱・濃縮が行われ、続いて高温熱交換器９、中温熱交換器８を経由して低温再生器３に入り、そこで２度目の加熱・濃縮が行われた後、吸収液ポンプ１１により低温熱交換器７を経由して吸収器６に戻る循環が可能に吸収液管が接続されている。
【００３５】
上記構成の吸収冷凍機においても、夏季には熱効率に優れた３重効用により冷房などの冷却運転が行え、冬季には熱効率に優れた２重効用の運転により５５℃程度に加熱した温水を負荷に循環供給する暖房などの加熱運転が行える。なお、この場合も吸収液ポンプ１１は、省略することが可能である。
【００３６】
〔第３の実施形態〕
第３の実施形態を図３に基づいて説明する。この第３の実施形態の吸収冷凍機が、前記第１、第２の実施形態の吸収冷凍機と相違する部分も、吸収液の循環順にある。
【００３７】
すなわち、この第３の実施形態の吸収冷凍機においては、冷媒を吸収して吸収器６から出た吸収液は、図３（Ａ）に示したように、冷房などの冷却運転時には吸収液ポンプ１０により低温熱交換器７を経由して低温再生器３に入り、そこで１度目の加熱・濃縮が行われ、続いて吸収液ポンプ１１により中温熱交換器８、高温熱交換器９を経由して高温再生器１に入り、そこで２度目の加熱・濃縮が行われ、さらに高温熱交換器９を経由して中温再生器２に入り、そこで３度目の加熱・濃縮が行われた後、中温熱交換器８、低温熱交換器７を経由して吸収器６に戻る循環が可能に吸収液管が接続されている。
【００３８】
そして、この場合も、吸収液が中温再生器２と中温熱交換器８とを迂回して循環可能に開閉弁Ｖ３が介在する吸収液管が設けられて、暖房などの加熱運転時に冷媒を吸収して吸収器６から出た吸収液は、図３（Ｂ）に示したように、吸収液ポンプ１０により低温熱交換器７を経由して低温再生器３に入り、そこで１度目の加熱・濃縮が行われ、続いて吸収液ポンプ１１により中温熱交換器８、高温熱交換器９を経由して高温再生器１に入り、そこで２度目の加熱・濃縮が行われ、さらに高温熱交換器９、開閉弁Ｖ３、低温熱交換器７を経由して吸収器６に戻る循環が可能に吸収液管が接続されている。
【００３９】
上記構成の吸収冷凍機においても、夏季には熱効率に優れた３重効用により冷房などの冷却運転が行え、冬季には熱効率に優れた２重効用の運転により５５℃程度に加熱した温水を負荷に循環供給する暖房などの加熱運転が行える。
【００４０】
〔第４の実施形態〕
第４の実施形態を図４に基づいて説明する。この第４の実施形態の吸収冷凍機が、前記第１〜第３の実施形態の吸収冷凍機と相違する部分も、吸収液の循環順にある。
【００４１】
すなわち、この第４の実施形態の吸収冷凍機においては、冷媒を吸収して吸収器６から出た吸収液は、図４（Ａ）に示したように、冷房などの冷却運転時には吸収液ポンプ１０により低温熱交換器７を経由して低温再生器３に入り、そこで１度目の加熱・濃縮が行われ、続いて吸収液ポンプ１１により中温熱交換器８、開閉弁Ｖ１を経由して中温再生器２に入り、そこで２度目の加熱・濃縮が行われ、さらに吸収液ポンプ１２により高温熱交換器９を経由して高温再生器１に入り、そこで３度目の加熱・濃縮が行われた後、高温熱交換器９、中温熱交換器８、低温熱交換器７を経由して吸収器６に戻る循環が可能に吸収液管が接続されている。
【００４２】
そして、この場合も、吸収液が中温再生器２と中温熱交換器８とを迂回して循環可能に開閉弁Ｖ３が介在する吸収液管が設けられて、暖房などの加熱運転時に冷媒を吸収して吸収器６から出た吸収液は、図４（Ｂ）に示したように、吸収液ポンプ１０により低温熱交換器７を経由して低温再生器３に入り、そこで１度目の加熱・濃縮が行われ、続いて吸収液ポンプ１１により開閉弁Ｖ３、高温熱交換器９を経由して高温再生器１に入り、そこで２度目の加熱・濃縮が行われ、さらに高温熱交換器９、中温熱交換器８、低温熱交換器７を経由して吸収器６に戻る循環が可能に吸収液管が接続されている。
【００４３】
上記構成の吸収冷凍機においても、夏季には熱効率に優れた３重効用により冷房などの冷却運転が行え、冬季には熱効率に優れた２重効用の運転により５５℃程度に加熱した温水を負荷に循環供給する暖房などの加熱運転が行える。
【００４４】
〔第５の実施形態〕
第５の実施形態を図５に基づいて説明する。この第５の実施形態の吸収冷凍機が、前記第１〜第４の実施形態の吸収冷凍機と相違する部分も、吸収液の循環順にある。
【００４５】
すなわち、この第５の実施形態の吸収冷凍機においては、冷媒を吸収して吸収器６から出た吸収液は、図５（Ａ）に示したように、冷房などの冷却運転時には吸収液ポンプ１０により低温熱交換器７を経由して低温再生器３に入るものと、低温熱交換器７を経由した後さらに中温熱交換器８を経由して中温再生器２に入るものと、低温熱交換器７、中温熱交換器８を経由した後さらに高温熱交換器９を経由して高温再生器１に入るものとに分岐し、それぞれの再生器において加熱・濃縮が行われ、高温再生器１に入って加熱・凝縮された吸収液は高温熱交換器９、中温熱交換器８、低温熱交換器７を経由して吸収器６に戻り、中温再生器２に入って加熱・凝縮された吸収液は吸収液ポンプ１２により中温熱交換器８、低温熱交換器７を経由して吸収器６に戻り、低温再生器３に入って加熱・凝縮された吸収液は吸収液ポンプ１１により低温熱交換器７を経由して吸収器６に戻る循環が可能に吸収液管が接続されている。
【００４６】
そして、この場合は、暖房などの加熱運転時に冷媒を吸収して吸収器６から出た吸収液は、図５（Ｂ）に示したように、吸収液ポンプ１０により低温熱交換器７を経由して低温再生器３に入るものと、低温熱交換器７を経由した後さらに中温熱交換器８、高温熱交換器９を経由して高温再生器１に入るものとに分岐し、それぞれの再生器において加熱・濃縮が行われ、高温再生器１に入って加熱・凝縮された吸収液は高温熱交換器９、中温熱交換器８、低温熱交換器７を経由して吸収器６に戻り、低温再生器３に入って加熱・凝縮された吸収液は吸収液ポンプ１１により低温熱交換器７を経由して吸収器６に戻る循環が可能に吸収液管が接続されている。
【００４７】
上記構成の吸収冷凍機においても、夏季には熱効率に優れた３重効用により冷房などの冷却運転が行え、冬季には熱効率に優れた２重効用の運転により５５℃程度に加熱した温水を負荷に循環供給する暖房などの加熱運転が行える。
【００４８】
なお、本発明は上記実施形態に限定されるものではないので、特許請求の範囲に記載の趣旨から逸脱しない範囲で各種の変形実施が可能である。
【００４９】
【発明の効果】
以上説明したように本発明によれば、熱効率に優れた２重効用運転により従来技術より温度が大凡１０℃も高い５５℃程度の温水供給が可能となったので、部屋の温度が低い暖房運転の開始時においても十分に温度の高い空気の噴出しが可能であり、快適な暖房運転が可能になった。また、冷房などの冷却運転は、３重効用運転となるので熱効率が高い。
【図面の簡単な説明】
【図１】第１の実施形態の装置構成を示す説明図であり、（Ａ）は冷房運転時の説明図、（Ｂ）は暖房運転時の説明図である。
【図２】第２の実施形態の装置構成を示す説明図であり、（Ａ）は冷房運転時の説明図、（Ｂ）は暖房運転時の説明図である。
【図３】第３の実施形態の装置構成を示す説明図であり、（Ａ）は冷房運転時の説明図、（Ｂ）は暖房運転時の説明図である。
【図４】第４の実施形態の装置構成を示す説明図であり、（Ａ）は冷房運転時の説明図、（Ｂ）は暖房運転時の説明図である。
【図５】第５の実施形態の装置構成を示す説明図であり、（Ａ）は冷房運転時の説明図、（Ｂ）は暖房運転時の説明図である。
【符号の説明】
１ 高温再生器
１Ａ バーナ
２ 中温再生器
３ 低温再生器
４ 凝縮器
５ 蒸発器
６ 吸収器
７ 低温熱交換器
８ 中温熱交換器
９ 高温熱交換器
１０・１１・１２ 吸収液ポンプ
１３ 冷媒ポンプ
１４ 冷水／熱源水管
１５ 冷却水／温水管
Ｖ１ 開閉弁
Ｖ２ 逆止弁
Ｖ３ 開閉弁
Ｖ４ 開閉弁
Ｖ５ 逆止弁
Ｖ６ 逆止弁
Ｖ７ 開閉弁
【図１】
0004596683.tif 000002
【図２】
0004596683.tif 000003
【図３】
0004596683.tif 000004
【図４】
0004596683.tif 000005
【図５】
0004596683.tif 000006